(57)【要約】      （修正有）【課題】簡易な構成で乗客コンベアの構成部品を効率よく運搬可能な乗客コンベアの部品運搬工具を提供する。【解決手段】部品運搬工具１００は乗客コンベアの両側の手すり２の間に掛け渡す棒部材１２と棒部材１２の両側にそれぞれ固定され、手すり２を把持する固定台座１４とステップ軸８と棒部材１２とを締結するベルト部と棒部材１２の軸方向に移動可能な第一掛金１６ａと第一掛金１６ａに引っ掛けられるホイストとを備える。部品運搬工具１００を用いてディスクブレーキ６０を運搬する場合、棒部材１２を手すり２の間に掛け渡し、ステップ軸８と棒部材１２とをベルト部によって締結し、ホイストを第一掛金１６ａに設置する。そして、ホイストによってディスクブレーキを楊重しながら棒部材１２の軸方向に第一掛金１６ａを移動させてディスクブレーキをドライブユニットから切り離し、切り離されたディスクブレーキ６０をホイストによって吊り上げて運搬する。【選択図】図１
2020193079.tif 000002
【特許請求の範囲】
【請求項１】
乗客コンベアの両側の手すりの間に掛け渡す棒部材と、
前記棒部材の両側にそれぞれ固定され、前記手すりを把持する固定台座と、
前記乗客コンベアのステップ軸と前記棒部材とを締結するベルト部と、
前記棒部材の軸方向に移動可能に設置された第一掛金と、
前記第一掛金に固定されたホイストと、
を備える乗客コンベアの部品運搬工具。
【請求項２】
前記棒部材は、
第一棒部材と、
第二棒部材と、
前記第一棒部材と前記第二棒部材とを同一軸上で連結する連結部材と、
を含み、前記第一棒部材と前記第二棒部材とは分割可能に構成されたことを特徴とする請求項１に記載の乗客コンベアの部品運搬工具。
【請求項３】
前記固定台座は、
前記棒部材に固定される固定部と、
前記手すりの上面側に接する接面部と、
前記手すりの外縁側に接するガイド部と、を含み、
前記接面部は、前記接面部の長手方向が前記棒部材の直径よりも長いことを特徴とする請求項１又は請求項２に記載の乗客コンベアの部品運搬工具。
【請求項４】
前記接面部は、前記手すりの上面側に接する面にゴム部材が設けられていることを特徴とする請求項３に記載の乗客コンベアの部品運搬工具。
【請求項５】
前記ガイド部は、前記手すりの外縁側に沿って湾曲した形状を有することを特徴とする請求項３又は請求項４に記載の乗客コンベアの部品運搬工具。
【請求項６】
前記棒部材に設置された第二掛金を更に備え、
前記ベルト部の一端は、前記第二掛金に固定されることを特徴とする請求項１から請求項４の何れか１項に記載の乗客コンベアの部品運搬工具。
【請求項７】
請求項１から請求項６の何れか１項に記載の部品運搬工具を用いて乗客コンベアの構成部品を運搬する部品運搬方法であって、
前記固定台座が前記手すりを把持するように前記棒部材を前記手すりの間に掛け渡す掛け渡し工程と、
前記ステップ軸と前記棒部材とを前記ベルト部によって締結する締結工程と、
前記ホイストを前記第一掛金に設置する設置工程と、
前記構成部品を前記ホイストによって運搬する運搬工程と、
を備えることを特徴とする部品運搬方法。
【請求項８】
前記構成部品は、ドライブユニットのディスクブレーキであり、
前記運搬工程は、
前記ホイストによって前記ディスクブレーキを楊重しながら前記棒部材の軸方向に前記第一掛金を移動させて前記ディスクブレーキを前記ドライブユニットから切り離す切り離し工程と、
前記切り離し工程において切り離された前記ディスクブレーキを前記ホイストによって吊り上げる吊り上げ工程と、
を含むことを特徴とする請求項７に記載の部品運搬方法。
【請求項９】
前記掛け渡し工程によって前記棒部材を前記手すりの間に掛け渡し、且つ前記締結工程によって前記ステップ軸と前記棒部材とを前記ベルト部によって締結した状態で前記乗客コンベアを運転する運転工程を更に含むことを特徴とする請求項７又は請求項８に記載の部品運搬方法。
【発明の詳細な説明】
【技術分野】
【０００１】
本発明は、乗客コンベアの部品運搬工具、及びそれを用いた部品運搬方法に関する。
【背景技術】
【０００２】
従来、例えば特許文献１には、エスカレータのステップをハンドレールに一時的に吊り持たせるための工具が開示されている。この工具は、エスカレータの一対のハンドレール間に横渡しされる横渡し部材と、横渡し部材の両側に設けられハンドレールを把持する把持部材と、横渡し部材にエスカレータのステップを吊り持たせるレバーブロック（登録商標）とを備えている。
【先行技術文献】
【特許文献】
【０００３】
【特許文献１】特開平１１−３０１９６１号公報
【発明の概要】
【発明が解決しようとする課題】
【０００４】
一般に、エスカレータに代表される乗客コンベアのトラスには、乗客が乗るステップが各々取り付けられた複数のステップ軸、ステップチェーン等の連結部材、及びドライブユニットが配置されている。ドライブユニットは、連結部材を駆動することでステップを循環させる。このドライブユニットにはディスクブレーキ等の構成要素が取り付けられている。
【０００５】
ドライブユニットの保守作業では、ディスクブレーキ等の構成部品を着脱することが必要となる場合がある。着脱作業では、構成部品を楊重した状態で水平方向へと移動させて取り外すものがある。上記特許文献１の工具では、部品を吊るし持たせた状態で水平方向に移動させることができないため、着脱作業の効率が低下するおそれがある。
【０００６】
本発明は、上述のような課題を解決するためになされたもので、簡易な構成で乗客コンベアの構成部品を効率よく運搬可能な乗客コンベアの部品運搬工具を提供することを目的とする。
【０００７】
また、本発明は、簡易な構成で乗客コンベアの構成部品を効率よく運搬可能な乗客コンベアの部品運搬方法を提供することを目的とする。
【課題を解決するための手段】
【０００８】
本発明の部品運搬工具は、乗客コンベアの両側の手すりの間に掛け渡す棒部材と、棒部材の両側にそれぞれ固定され、手すりを把持する固定台座と、乗客コンベアのステップ軸と棒部材とを締結するベルト部と、棒部材の軸方向に移動可能に設置された第一掛金と、第一掛金に固定されたホイストと、を備えるものである。
【０００９】
本発明の部品運搬工具を用いて乗客コンベアの構成部品を運搬する部品運搬方法は、固定台座が手すりを把持するように棒部材を手すりの間に掛け渡す掛け渡し工程と、ステップ軸と棒部材とをベルト部によって締結する締結工程と、ホイストを第一掛金に設置する設置工程と、構成部品をホイストによって運搬する運搬工程と、を備えるものである。
【発明の効果】
【００１０】
本発明の乗客コンベアの部品運搬工具、及びそれを用いた部品運搬方法によれば、乗客コンベアの構成部品を楊重した状態で棒部材の軸方向に移動させることができる。これにより、簡易な構成で乗客コンベアの構成部品を効率よく運搬することが可能となる。
【図面の簡単な説明】
【００１１】
【図１】部品運搬工具の構成を説明するための図である。
【図２】固定台座の構成を示す正面図である。
【図３】手すりに設置された固定台座を示す斜視図である。
【図４】掛金の構成を示す正面図である。
【図５】棒部材組立工程の手順を説明するための図である。
【図６】棒部材組立工程の手順を説明するための図である。
【図７】棒部材組立工程の手順を説明するための図である。
【図８】掛金設置工程の手順を説明するための図である。
【図９】掛金設置工程の手順を説明するための図である。
【図１０】固定台座設置工程の手順を説明するための図である。
【図１１】固定台座設置工程の手順を説明するための図である。
【図１２】固定台座設置工程の手順を説明するための図である。
【図１３】掛け渡し工程の手順を説明するための図である。
【図１４】掛け渡し工程の手順を説明するための図である。
【図１５】掛け渡し工程の手順を説明するための図である。
【図１６】締結工程の手順を説明するための図である。
【図１７】締結工程の手順を説明するための図である。
【図１８】締結工程の手順を説明するための図である。
【図１９】チェーンブロック設置手順を説明するための図である。
【図２０】チェーンブロック設置手順を説明するための図である。
【図２１】チェーンブロック設置手順を説明するための図である。
【図２２】チェーンブロック設置手順を説明するための図である。
【図２３】運搬工程の手順を説明するための図である。
【図２４】運搬工程の手順を説明するための図である。
【図２５】運搬工程の手順を説明するための図である。
【発明を実施するための形態】
【００１２】
以下、図面を参照して実施の形態について説明する。なお、各図において共通する要素には、同一の符号を付して、重複する説明を省略する。
【００１３】
実施の形態．
１．部品運搬工具の構成
部品運搬工具は、乗客コンベアの保守作業において、ドライブユニットの構成部品を運搬する際に用いられる装置である。本実施の形態の乗客コンベアはエスカレータであり、ドライブユニットの構成部品はディスクブレーキである。
【００１４】
図１は、部品運搬工具の構成を説明するための図である。この図に示すように、部品運搬工具１００は、エスカレータ１の左右に設けられた手すり２に掛け渡すように設置して使用されるものである。この図に示す例では、エスカレータ１のステップ４が複数個取り外されてドライブユニット６とステップ軸８が露出している。
【００１５】
部品運搬工具１００は、具体的には、棒部材１２と、固定台座１４と、掛金１６と、ラッシングベルト１８と、チェーンブロック２０と、を備えている。
【００１６】
棒部材１２は、エスカレータ１の一対の手すり２の間に掛け渡すものである。棒部材１２は、運搬対象部品の重さに耐えうる強度のものが使用される。棒部材１２は、装置の運搬性を考慮して分割可能に構成されている。具体的には、棒部材１２は、単管パイプで構成された第一棒部材１２２及び第二棒部材１２４と、これらを同一軸上で連結する連結部材１２６とを備えている。
【００１７】
固定台座１４は、棒部材１２の両側にそれぞれ固定され、手すり２を把持するものである。固定台座１４は、棒部材１２の一端に固定される右側固定台座１４Ｒと、棒部材１２の他端に固定される左側固定台座１４Ｌとを含んでいる。右側固定台座１４Ｒと左側固定台座１４Ｌとは、左右対称の形状になっている。図２は、固定台座の構成を示す正面図である。また、図３は、手すりに設置された固定台座を示す斜視図である。なお、ここでは、右側固定台座１４Ｒの構成を例示している。
【００１８】
これらの図に示すように、右側固定台座１４Ｒは、棒部材１２に固定される固定部１４０と、手すり２の上面側に接する接面部１４２と、手すり２の外縁側に接するガイド部１４４とを含んでいる。固定部１４０は、筒型の形状を有し、棒部材１２の外周側に通されて固定ビス１４６を締め付けることによって棒部材１２に固定される。接面部１４２は、手すり２の斜面下側に接触する面が斜面上側に接触する面よりも幅広に構成されている。また、接面部１４２は、手すり２に沿った長手方向の長さが棒部材１２の直径よりも大きくなる大きさに構成されている。ガイド部１４４は、手すり２の外縁側に沿って湾曲した形状を有している。接面部１４２及びガイド部１４４の手すり２と接する面には、ゴム部材１４８が取り付けられている。
【００１９】
図４は、掛金の構成を示す正面図である。この図に示すように、掛金１６は、棒部材１２に固定される固定部１６０と、フックを引っ掛けるための穴が形成された引掛け部１６２とを含んでいる。固定部１６０は、筒型の形状を有し、棒部材１２の外周側に通されて固定ビス１６４を締め付けることによって棒部材１２に固定される。また、固定ビス１６４を緩めた状態にすることで、掛金１６を棒部材１２の軸方向に移動可能に取り付けることもできる。部品運搬工具１００は、３個の掛金１６が棒部材１２に取り付けられる。以下の説明では、棒部材１２の中央側に取り付けられる掛金１６が第一掛金１６ａと呼ばれ、棒部材１２の両端側に取り付けられる一対の掛金１６が第二掛金１６ｂと呼ばれる。
【００２０】
ラッシングベルト１８は、第二掛金１６ｂの引掛け部１６２とエスカレータ１のステップ軸８との間を連結するベルト部の例示である。ラッシングベルト１８は、例えばラチェット機構によってベルトを締め付けることが可能に構成されている。
【００２１】
チェーンブロック２０は、ディスクブレーキ６０等の運搬対象部品を楊重するためのホイストの例示である。チェーンブロック２０は、第一掛金１６ａの引掛け部１６２に引っ掛けた状態で使用される。チェーンブロック２０は、運搬対象となる構成部品の重さに対応したサイズのものが使用される。ここでは、例えば、０．２５ｔまで許容されるチェーンブロック２０が使用される。
【００２２】
２．部品運搬工具の設置及び部品運搬方法
次に、実施の形態の部品運搬工具１００をエスカレータ１に設置する手順及び部品運搬方法について説明する。ここでは、部品運搬工具１００をエスカレータ１に設置して、ドライブユニット６の構成部品であるディスクブレーキ６０を運搬する。部品運搬工具１００を設置する場合、先ず前準備として、エスカレータ１のドライブユニット６の位置のステップ４を複数段（例えば３段）取り外し、ドライブユニット６を外部に露出させておく。
【００２３】
先ず、最初の棒部材組立工程では、棒部材１２を組み立てる。図５から図７は、棒部材組立工程の手順を説明するための図である。棒部材１２は、携帯性を考慮して、複数部品に分割された上で収納されている。ここでは、図５に示すように、先ず、連結部材１２６の両側に第一棒部材１２２及び第二棒部材１２４をそれぞれ挿入する。次に、図６に示すように、連結部材の中央に設けられている締結ボルトを締め付けてこれらを結合する。図７に示すように、第一棒部材１２２と第二棒部材１２４が１本の棒部材１２に連結されたら、結合状態を確認する。
【００２４】
次の掛金設置工程では、掛金１６を設置する。図８及び図９は、掛金設置工程の手順を説明するための図である。図８に示すように、掛金１６は、棒部材１２の端部から挿入する。この際、図９に示すように、先ず棒部材１２の右側の端部から第一掛金１６ａを挿入し、次いで棒部材１２の両側から第二掛金１６ｂをそれぞれ挿入する。ここで、第一掛金１６ａは固定ビス１６４を締結しないでおく。これにより、第一掛金１６ａは、棒部材１２の軸方向に沿って移動可能に設置される。
【００２５】
次の固定台座設置工程では、固定台座１４を設置する。図１０から図１２は、固定台座設置工程の手順を説明するための図である。図１０に示すように、固定台座１４は、棒部材１２の端部から挿入する。この際、図１１に示すように、右側固定台座１４Ｒは、幅広の接面部１４２が正面視で下側に位置し、ガイド部１４４が棒部材１２の端部側となる向きで設置される。また、図１２に示すように、左側固定台座１４Ｌは、幅広の接面部１４２が正面視で下側に位置し、ガイド部１４４が棒部材１２の端部側となる向きで設置される。これらの固定台座１４は、それぞれの固定ビス１４６を締め付けることにより棒部材１２に固定される。
【００２６】
次の掛け渡し工程では、棒部材１２がエスカレータ１の両側の手すり２の間を掛け渡すように設置される。図１３から図１５は、掛け渡し工程の手順を説明するための図である。図１３に示すように、棒部材１２は、一対の手すり２の間に掛け渡すように設置される。この際、棒部材１２は、運搬対象であるディスクブレーキ６０が鉛直真下となる位置に設置される。また、図１４に示すように、棒部材１２は、固定台座１４の幅広の接面部１４２が手すり２の斜面下側となる向きで設置される。また、図１５に示すように、棒部材１２は、固定台座１４のガイド部１４４が手すり２の外縁側に接するように設置される。
【００２７】
このような棒部材１２の設置構造によれば、ガイド部１４４によって棒部材１２の軸方向のずれを防ぐことができる。また、固定台座１４は、斜面下側に幅広の接面部１４２が配置されるので、棒部材１２の前後方向のずれを効果的に防ぐことができる。また、固定台座１４は、接面部１４２にゴム部材１４８が設けられているので、棒部材１２のずれを防ぐとともに、手すり２に傷が付くことを防ぐことができる。
【００２８】
次の締結工程では、ラッシングベルト１８が取り付けられる。図１６から図１８は、締結工程の手順を説明するための図である。図１６に示すように、ラッシングベルト１８は、棒部材１２に設置された左右の第二掛金１６ｂとステップ軸８との間をそれぞれ締結する。この際、ラッシングベルト１８の引っ張り方向がエスカレータ１の斜面に対して垂直に近づくように、斜面に対して上方向に位置するステップ軸８を選択して締結する。また、図１７及び図１８に示すように、ラッシングベルト１８は、フックを第二掛金１６ｂの引掛け部１６２に引っ掛けるとともに、ステップ軸８の根本部に巻き掛けたベルトの長さを調整することによって締結度合を調整する。ラッシングベルト１８を締結することによって、棒部材１２のずれが防がれる。
【００２９】
次のチェーンブロック設置工程では、チェーンブロック２０が取り付けられる。図１９から図２２は、チェーンブロック設置手順を説明するための図である。この図に示すように、チェーンブロック２０は、棒部材１２に設置された第一掛金１６ａの引掛け部１６２に吊るされる。上述したように、第一掛金１６ａは棒部材１２に沿って左右方向に移動自在に取り付けられている。このため、図２０及び図２１に示すように、チェーンブロック２０は、棒部材１２の中央に設けられている連結部材１２６の締結ボルトから右側の第二掛金１６ｂとの間を移動自在に構成される。図２２に示すように、ディスクブレーキ６０にはアイボルト２２が捻じ込まれる。チェーンブロック２０のフックは、このアイボルト２２に引っ掛けられる。
【００３０】
次の運搬工程では、チェーンブロック２０によってディスクブレーキ６０が運搬される。図２３から図２５は、運搬工程の手順を説明するための図である。運搬工程では、部品取り外し工程と、切り離し工程と、吊り上げ工程とが順に行われる。先ず、部品取り外し工程では、ディスクブレーキ６０を固定している部品が取り外される。図２３では、固定されているディスクブレーキ６０をチェーンブロック２０によって楊重している状態を示している。ここでは、図２３に示す状態で、ディスクブレーキ６０からハブ、固定ボルト等が取り外される。なお、ディスクブレーキ６０の固定ボルトは目視し難い場所にある。このため、ドライブユニット６へのディスクブレーキ６０の取り付け時の位置決めを容易にするために、次の切り離し工程の前に、ドライブユニット６に対するディスクブレーキ６０の位置をマークしておくことが好ましい。
【００３１】
次の切り離し工程では、ドライブユニット６からディスクブレーキ６０が切り離される。固定ボルト等が取り外されたディスクブレーキ６０は、エスカレータ１の幅方向に一旦ずらした後に上方へ吊り上げる必要がある。ここでは、図２４に示すように、第二掛金１６ｂを棒部材１２に沿って右端側に向かってずらす。これにより、ディスクブレーキ６０はドライブユニット６から切り離されて、上方へ移動可能な状態となる。
【００３２】
次の吊り上げ工程では、チェーンブロック２０によってディスクブレーキ６０が吊り上げられる。そして、図２５に示すように、ディスクブレーキ６０は、ステップ４の上まで運搬される。ディスクブレーキ６０の取り付けの際には、各工程を逆に辿るように作業すればよい。
【００３３】
このように、実施の形態１の部品運搬工具１００によれば、吊り下げられているチェーンブロック２０を棒部材１２の軸方向に移動させることができる。これにより、取り外しの際にエスカレータ１の幅方向にずらす必要のある部品であっても、簡易に取り外して運搬することが可能となる。
【００３４】
また、実施の形態１の部品運搬工具１００は、手すり２とステップ軸８に接触して固定されている。このため、エスカレータ１は、部品運搬工具１００を固定した状態で運転を行うこともできる。そこで、複数のドライブユニット６を備えるエスカレータ等、運搬対象の部品を複数備える場合の部品運搬方法では、例えば部品運搬工具１００を固定した状態で次に作業すべきドライブユニット６の位置までエスカレータを運転する運転工程を更に含んでいてもよい。これにより、部品運搬工具１００を次の運搬対象部品の位置に再度設置する作業が不要となるため、作業効率を高めることが可能となる。
【００３５】
３．実施の形態の部品運搬工具の変形例
実施の形態の部品運搬工具１００は、以下のように変形した態様を適用してもよい。
【００３６】
棒部材１２は分割可能に構成されていなくてもよい。また、固定台座１４は、エスカレータ１の両側の手すり２に棒部材１２を固定可能に構成されていれば、その構成に限定はない。また、ラッシングベルト１８は、エスカレータ１のステップ軸８と棒部材１２とを締結可能な構成であればその構成に限定はない。また、第二掛金１６ｂは必須の構成ではない。すなわち、ラッシングベルト１８を直接棒部材１２に巻き付けて締結する構成でもよい。さらに、チェーンブロック２０はエスカレータ１の構成部品を楊重できるホイストであればその種類に限定はない。
【００３７】
第一掛金１６ａは、棒部材１２の軸方向に移動可能に設置できれば、その構成に限定はない。また、第一掛金１６ａは、棒部材１２に対する軸方向の移動を規制するロック機能を備えていてもよい。
【００３８】
本実施の形態の部品運搬工具１００において運搬可能な部品はディスクブレーキ６０に限られない。すなわち、部品運搬工具１００は、ドライブユニット６のモータ等、取り外しの際に乗客コンベアの幅方向への移動が必要となる幅広い部品の運搬に適用することが可能となる。
【符号の説明】
【００３９】
１  エスカレータ、  ４  ステップ、  ６  ドライブユニット、  ６０  ディスクブレーキ、  ８  ステップ軸、  １２  棒部材、  １２２  第一棒部材、  １２４  第二棒部材、  １２６  連結部材、  １４  固定台座、  １４Ｒ  右側固定台座、  １４Ｌ  左側固定台座、  １４０  固定部、  １４２  接面部、  １４４  ガイド部、  １４６  固定ビス、  １４８  ゴム部材、  １６  掛金、  １６ａ  第一掛金、  １６ｂ  第二掛金、  １６０  固定部、  １６２  引掛け部、  １６４  固定ビス、  １８  ラッシングベルト、  ２０  チェーンブロック、  ２２  アイボルト、  １００  部品運搬工具
【図１】
2020193079.tif 000003
【図２】
2020193079.tif 000004
【図３】
2020193079.tif 000005
【図４】
2020193079.tif 000006
【図５】
2020193079.tif 000007
【図６】
2020193079.tif 000008
【図７】
2020193079.tif 000009
【図８】
2020193079.tif 000010
【図９】
2020193079.tif 000011
【図１０】
2020193079.tif 000012
【図１１】
2020193079.tif 000013
【図１２】
2020193079.tif 000014
【図１３】
2020193079.tif 000015
【図１４】
2020193079.tif 000016
【図１５】
2020193079.tif 000017
【図１６】
2020193079.tif 000018
【図１７】
2020193079.tif 000019
【図１８】
2020193079.tif 000020
【図１９】
2020193079.tif 000021
【図２０】
2020193079.tif 000022
【図２１】
2020193079.tif 000023
【図２２】
2020193079.tif 000024
【図２３】
2020193079.tif 000025
【図２４】
2020193079.tif 000026
【図２５】
2020193079.tif 000027